(57)【要約】      （修正有）【課題】入浴姿勢を変化させても、テレビモニタ画面を見る角度によって、画面のコントラストが変化せず、見易い壁埋め込み浴室テレビを提供する。【解決手段】壁開口６０に対して、ケーブル貫通穴１１０が形成された埋込箱体７０と、埋込箱体７０の内部に収容され、ケーブル１００が接続されたテレビ本体２０と、テレビ本体２０を鉛直方向に回動可能なように、テレビ本体２０を支持する回動支持手段１５０とを備え、回動支持手段１５０は、埋込箱体７０に対して水密的に固定された第１の固定板１２０と、浴室テレビに対して水密的に固定され、テレビ本体２０に接続された第２の固定板１６０と、第１の固定板１２０に対して第２の固定板１６０を鉛直方向に回動可能にかつ、水密的に連結するとともに、第２の固定板１６０の回動に追従して伸縮する水密筒体１８０を設けた。【選択図】図３
2012200260.tif 000002
【特許請求の範囲】
【請求項１】
浴室壁面に形成された開口に埋め込み固定される浴室テレビの取付け構造であって、
前記開口に対して埋め込み固定され、ケーブルを通すためのケーブル貫通穴が形成された埋め込み箱体と、
前記埋め込み箱体の内部に収容され、前記ケーブルが接続されたテレビ本体と、
前記テレビ本体を鉛直方向に回動可能なように、前記テレビ本体を前記埋め込み箱体に対して支持する回動支持手段と、を備え、
前記回動支持手段は、
前記埋め込み箱体に対して水密的に固定され、前記ケーブル貫通穴と連通する第１の連通穴を有する第１の固定板と、
前記浴室テレビに対して水密的に固定され、前記テレビ本体に接続された前記ケーブルを通すための第２の連通穴を有する第２の固定板と、前記第１の固定板に対して前記第２の固定板を鉛直方向に回動可能に連結する回動手段とを有しており、
前記第１の連通穴と前記第２の連通穴とを水密的に連結するとともに、前記第２の固定板の回動に追従して伸縮する水密筒体を設けた
ことを特徴とする浴室テレビの取付け構造。
【発明の詳細な説明】
【技術分野】
【０００１】
本発明は、浴室内に設置する浴室テレビの取付け構造に関する。
【背景技術】
【０００２】
特許文献１には、浴室内にて、フリーアームにてテレビを固定する概念が開示されている。この特許文献１に開示されているテレビ固定方法によれば、利用者の見やすい位置にテレビを可動することができる。
【０００３】
特許文献２には、浴室を画成する壁面に開口を開設し、該開口に断面略コ字状の収納箱体を嵌装し、該収納箱体と上記壁面開口との間を液密状に防水処理を施すと共に、上記収納箱体の浴室側開口に透明体を液密状に配設し、上記収納箱体内に汎用テレビ受像機やオーディオ機器等の電源コンセントとアンテナ接続端子を配設したことを特徴とする浴室におけるテレビ等の設置構造が開示されている。この特許文献２に開示されているテレビ固定方法によれば、テレビの奥行き寸法を浴室内に突出することなくテレビを設置することが可能となる。
【０００４】
特許文献３には、浴室壁面に開口部を設け前記開口部には浴室外から浴室内に回動自在なる載置棚を設け、前記載置棚には浴室内側に画面を向けてテレビ受像機を載置してなる設置方法が開示されている。この特許文献３に開示されているテレビ固定方法によれば、
テレビ鑑賞時以外の時に、テレビを回動し、浴室外に出すため、清掃時などにテレビ受像機に外力が直接加わり損傷することを防止することができる。  
【先行技術文献】
【特許文献】
【０００５】
【特許文献１】特開２０００−１０６６５９号公報
【特許文献２】特開２００１−２５２２１２号公報
【特許文献３】特開平２−２８５１７１号公報
【発明の概要】
【発明が解決しようとする課題】
【０００６】
液晶を使用した浴室テレビは、入浴姿勢によって変化する鉛直方向の視点とテレビモニタ画面との目線角度により、画面コントラストが変化し、画面全体が白化したり黒化するとの課題があり、従来は浴室テレビのコントラスト調整に頼っていた。また、浴室壁よりのモニタ突出が大きいとデザイン上見栄えが悪いとの課題があった。
【０００７】
特許文献１のようなテレビ固定方法では、浴室テレビおよびアームが浴室内に大きく突出するため、人体と接触する機会が増え、入浴中リラックスできないばかりでなく、清掃時などにテレビ受像機に外力が直接加わり損傷することが想定される。また、突出が大きいためデザイン上見栄えが悪い。
【０００８】
特許文献２のようなテレビ固定方法では、テレビの奥行き寸法を浴室内に突出することなくテレビを設置することが可能となるが、液晶を使用した浴室テレビでは、入浴姿勢によって変化する、鉛直方向の視点とテレビモニタ画面との角度により、画面コントラストが変化し、画面全体が白化したり黒化するとの課題に対し、収納箱内にテレビを納めるため、鉛直方向のテレビ角度を調整することはできない。
【０００９】
特許文献３には、テレビを水平方向に回動可能なため、水平方向には視点とテレビモニタ画面との角度を調整することは可能であるが、鉛直方向の視点とテレビモニタ画面との角度を調整することはできなかった。
【００１０】
また、鉛直方向の視点とテレビモニタ画面との角度を調整する場合に、テレビを取り付ける板と、浴室壁に固定する板の２枚の板の間に水平方向に回転軸を有する蝶番を設けることで、鉛直方向の視点とテレビモニタ画面との角度を調整することは可能になるが、電源や受信信号などを供給するテレビケーブル外周も水密を保つ必要があり、テレビ角度変化に伴う２枚の板間距離が変化する場合にも水密を保つことはできなかった。
【００１１】
本発明は、上述した課題に鑑みてなされたものであり、浴室壁内に埋め込むことで、突出を抑え、かつ、水密を保持した状態で、鉛直方向の視点とテレビモニタ画面との角度を変更可能な浴室テレビの取付け構造を提供することを目的とする。
【課題を解決するための手段】
【００１２】
上記課題を解決するために本発明に係る浴室テレビの取付け構造は、浴室壁面に形成された開口に埋め込み固定される浴室テレビの取付け構造であって、前記開口に対して埋め込み固定され、ケーブルを通すためのケーブル貫通穴が形成された埋め込み箱体と、前記埋め込み箱体の内部に収容され、前記ケーブルが接続されたテレビ本体と、前記テレビ本体を鉛直方向に回動可能なように、前記テレビ本体を前記埋め込み箱体に対して支持する回動支持手段と、を備え、前記回動支持手段は、前記埋め込み箱体に対して水密的に固定され、前記ケーブル貫通穴と連通する第１の連通穴を有する第１の固定板と、前記浴室テレビに対して水密的に固定され、前記テレビ本体に接続された前記ケーブルを通すための第２の連通穴を有する第２の固定板と、前記第１の固定板に対して前記第２の固定板を鉛直方向に回動可能に連結する回動手段とを有しており、前記第１の連通穴と前記第２の連通穴とを水密的に連結するとともに、前記第２の固定板の回動に追従して伸縮する水密筒体を設けたことを特徴とする。
【発明の効果】
【００１３】
本発明によれば、入浴者へリラックスを与えるために突出を押さえた、壁埋め込みされた浴室テレビにおいて、入浴姿勢によって変化する、鉛直方向の視点とテレビモニタ画面との角度により、画面コントラストが変化し、画面全体が白化したり黒化するとの課題を浴室テレビを鉛直方向に水密を保った状態で、回動可能とすることで、より視聴しやすい、浴室テレビの取付け構造を提供することができる。
【図面の簡単な説明】
【００１４】
【図１】入浴者視点と浴室テレビの状態を表す摸式図である。
【図２】従来の浴室テレビ固定状態を表す摸式断面図である。
【図３】本発明に係る、第一の浴室テレビ固定状態を表す摸式断面図である。
【図４】本発明に係る、回動後の浴室テレビ固定状態を表す摸式断面図である。
【図５】本発明に係る、第二の浴室テレビ固定状態を表す摸式断面図である。
【図６】本発明に係る、第二のテレビ固定板１６０と浴室テレビ２０の固定方法を              表す摸式断面図である。
【図７】本発明に係る、浴室テレビ裏面パッキン形状例を表す摸式図である。
【図８】第二のテレビ固定板１６０と浴室テレビ２０の他固定方法を              表す摸式断面図である。
【図９】本発明に係る、第三の浴室テレビ固定状態を表す摸式断面図である。
【発明を実施するための形態】
【００１５】
以下、添付図面を参照しながら本発明の実施形態について説明する。説明の理解を容易にするため、各図面において同一の構成要素に対しては可能な限り同一の符号を付して、重複する説明は省略する。
【００１６】
図１に、入浴者視点と浴室テレビの状態を表す摸式図を示す。浴槽３０の短辺側に位置する浴室壁１０に埋め込み固定された浴室テレビ２０は、浴槽３０に入浴する入浴者４０の視点とテレビ画面の鉛直線とで規定する目線角度５０が小さくなるほど、画面を見やすく、特に目線角度によって、コントラストの変化しやすい液晶浴室テレビにおいて、その傾向が顕著である。構造は後述するが、本実施形態にかかる浴室テレビ２０は、鉛直方向に角度を変更できるように構成されている。
【００１７】
図３に、本発明に係る、浴室テレビ固定状態を表す摸式断面図を示す。浴室壁１０に、浴室壁開口６０を空け、１面が開口した箱状のテレビ埋込箱体７０が嵌め込まれている。テレビ埋込箱体７０の開口面周囲には、埋込箱体フランジ７１が設けられており、埋込箱体フランジ７１裏面には、フランジパッキン８０が接着されている。テレビ埋込箱体７０はフランジ固定ビス９０によってフランジパッキン８０が圧縮するように浴室壁１０に固定され、水密が確保されている。
【００１８】
また、テレビ埋込箱体７０の開口面対面には、浴室テレビ２０の電源や受信信号などを供給する浴室テレビ２０と連結されたケーブル１００を浴室壁外に貫通するためのテレビ埋込箱体ケーブル貫通穴１１０が設けられている。
【００１９】
また、テレビ埋込箱体７０の開口面対面には、ケーブル１００および浴室テレビ２０に固定されケーブル１００と浴室テレビ２０の接続部を補強するためのケーブル接続部１０１を貫通可能なテレビ固定板ケーブル貫通穴１１１が設けられた、第一のテレビ固定板１２０が、テレビ固定板ビス１３０によりビス固定されている。第一のテレビ固定板１２０は、第一のテレビ固定板１２０裏面に接着された、テレビ固定板パッキン１４０によってテレビ埋込箱体７０と水密的に固定される。なお、ケーブル接続部１０１は、ケーブル外周に樹脂被覆を重ねたものである。
【００２０】
また、第一のテレビ固定板１２０には、水平方向に回転軸を配置した蝶番１５０が配置され、蝶番１５０のもう一端には第二のテレビ固定板１６０が配置されている。蝶番１５０により、第一のテレビ固定板１２０と第二のテレビ固定板１６０は、鉛直方向に回動可能となる。なお、蝶番１５０は、任意の角度にて停止させることができる。第二のテレビ固定板１６０にもケーブル１００およびケーブル接続部１０１を貫通可能な貫通穴１１２が設けられている。第二のテレビ固定板１６０には、テレビパッキン１７０を挟んで浴室テレビ２０が固定されている。このため、第二のテレビ固定板１６０と浴室テレビ２０は水密的に固定される。第二のテレビ固定板１６０と浴室テレビ２０の固定方法については別途後段にて詳細を示す。
【００２１】
上述した通り、テレビ埋込箱体７０に固定された第一のテレビ固定板１２０と浴室テレビ２０が固定された第二のテレビ固定板１６０の間に蝶番１５０が設けられていることで、浴室壁１０に浴室テレビ２０を埋め込んだ状態で、図４の様に、鉛直方向に浴室テレビ２０を回動することが可能となる。浴室テレビ２０を浴室壁１０に埋め込むことで浴槽壁１０からの突出が小さくなるため、入浴者４０に与える圧迫感が小さくなり、リラックスを与えることができ、かつ浴槽壁１０からの突出が小さくなるため、デザイン性も向上する。また、浴室テレビ２０を回動することが可能となるため、入浴者４０の入浴姿勢変化による目線角度５０が変化した場合にも目線角度５０が小さくなるように鉛直方向に回動可能であるため、コントラスト調整に頼らず、快適にテレビを視聴することが可能となる。
【００２２】
また、第一のテレビ固定板１２０と第二のテレビ固定板１６０の間には、回動によって変化する第一のテレビ固定板１２０と第二のテレビ固定板１６０間距離に追従し、浴室内と浴室壁の水密を保持するための水密筒体１８０が第一のテレビ固定板１２０と第二のテレビ固定板１６０に接着されている。水密筒体１８０は薄いゴムなどの弾性体でも、蛇腹状の樹脂またはゴムなどの弾性体でもよい。この伸縮可能な水密筒体１８０を第一のテレビ固定板１２０と第二のテレビ固定板１６０の間に固定することにより、テレビケーブル周囲の水密を保つことが可能となる。
【００２３】
なお、本実施例では、第一のテレビ固定板１２０を該鉛直に配置しているが、図５に示す第二の浴室テレビ固定状態のように、第一のテレビ固定板１２０を傾けて設置してもよい。この場合より回動範囲が広がり、より快適にテレビを視聴することが可能となる。
【００２４】
図６に第二のテレビ固定板１６０と浴室テレビ２０の固定方法について示す。
テレビ固定板１６０上部には、テレビ固定凸部１６１が設けられており、テレビ内部の凹部に引っ掛けることが可能である。また、テレビ固定板１６０下部にはテレビ固定ビス受け１６２が設けられており、浴室テレビ２０とテレビ固定ビス１９０にて固定が可能である。浴室テレビ２０と第二のテレビ固定板１６０の間には、浴室テレビ２０裏面に接着された浴室テレビ裏面パッキン２００が配置され、水密を確保する。図７に浴室テレビ裏面パッキン２００形状例を示す。パッキン２００はケーブル貫通穴１１２の外周に周状に形成する。
【００２５】
なお、第二のテレビ固定板１６０と浴室テレビ２０の固定方法については、上述の方法に限定せず、第二のテレビ固定板１６０裏面より浴室テレビ２０にビス固定する方法や、図８に示すように、磁石により固着させる方法でも良い。図８の例では、第二のテレビ固定板１６０裏面に位置決めボス２１０を配置し、浴室テレビ２０に形成された凹部に嵌めることで固定位置を規定し、浴室テレビ２０に固定された磁石２２０にて、第二のテレビ固定板１６０と浴室テレビ２０を固定する。
【００２６】
また、図９に本発明に係る、第三の浴室テレビ固定状態を表す摸式断面図を示す。浴室壁１０の裏面に浴室壁開口６０よりも大きな、浴室壁裏面板２３０が接着される。テレビ埋込箱体７０は、テレビ埋込箱体７０の開口面対面にて、箱体固定ビス２４０を用いて浴室壁裏面板２３０に固定される。本方法を用いた場合には、埋込箱体フランジ７１にてビス固定する場合に比べ、ビス頭がテレビ埋込箱体奥に隠れるため、デザイン意匠性を向上することができる。
【符号の説明】
【００２７】
１０…浴室壁、２０…浴室テレビ、３０…浴槽、４０…入浴者、５０…目線角度、６０…浴室壁開口、７０…テレビ埋込箱体、７１…埋込箱体フランジ、８０…フランジパッキン、９０…フランジ固定ビス、１００…ケーブル、１０１…ケーブル接続部、１１０…テレビ埋込箱体ケーブル貫通穴、１１１…ケーブル貫通穴、１１２…ケーブル貫通穴、１２０…第一のテレビ固定板、１３０…テレビ固定板ビス、１４０…テレビ固定板パッキン、１５０…蝶番、１６０…第二のテレビ固定板、１６１…テレビ固定凸部、１６２…テレビ固定ビス受け、１７０…テレビパッキン、水密筒体…１８０、テレビ固定ビス…１９０、浴室テレビ裏面パッキン…２００、位置決めボス…２１０、磁石…２２０、浴室壁裏面板…２３０、箱体固定ビス…２４０
【図２】
2012200260.tif 000003
【図３】
2012200260.tif 000004
【図４】
2012200260.tif 000005
【図５】
2012200260.tif 000006
【図６】
2012200260.tif 000007
【図７】
2012200260.tif 000008
【図８】
2012200260.tif 000009
【図９】
2012200260.tif 000010
【図１】
2012200260.tif 000011